(57)【特許請求の範囲】
【請求項１】
袋の口の幅方向一側部と幅方向他側部から延びだす左右の口閉じ紐（Ｉ，II）を結び合わせる口閉じ紐の紐結び方法であって、
各々がガイドロッド（４）と、そのガイドロッドの外周に軸方向スライド自在に嵌めたスリーブ（５）と、前記ガイドロッド（４）の先端に固定された把持爪（６）を有し、各々が前記ガイドロッド（４）を回転可能に支持するテーブル（７)と、そのテーブルの高さ位置を変化させる昇降機構（８）と、前記テーブル（７）を水平面内で直角２軸方向に移動させる移動機構（９，１０）と、前記ガイドロッド（４）とスリーブ（５）を、軸心を中心にして正逆方向に回転させる回転駆動機構（１１）を有する対向配置された左右の回転チャック（２，３）と、その左右の回転チャックの各々に付随させた左右の補助チャック（１３，１４）を備える紐結び機を使用し、
一方の口閉じ紐（Ｉ）の端部近傍を片側の回転チャック（２）の把持爪（６）で、他方の口閉じ紐（II）の先端近傍を他側の回転チャック（３）の把持爪（６）でそれぞれ掴み、この状態で前記片側の回転チャック（２）を回転させて前記一方の口閉じ紐（Ｉ）を当該回転チャック（２）のスリーブ（５）の外周に２回巻きつけ、次に、その一方の口閉じ紐（Ｉ）の先端を前記片側の回転チャックに付随した片側の補助チャック（１３）で掴み、次いで、前記片側の回転チャック（２）の把持爪（６）が前記一方の口閉じ紐（Ｉ）を離して前記他方の口閉じ紐（II）の先端側を掴み、前記他側の回転チャック（３）の把持爪（６）が前記片側の補助チャック（１３）に代わって前記一方の口閉じ紐（Ｉ）の先端側を掴み、その後、前記左右の回転チャック（２，３）を互いに離反する方向に動かして口閉じ紐の一次結びを完了し、
次いで、前記一方の口閉じ紐（Ｉ）の長手中間付近を前記片側の回転チャック（２）の把持爪（６）が、前記他方の口閉じ紐（II）の長手中間付近を前記片側の補助チャック（１３）がそれぞれ掴み、
前記片側の回転チャック（２）が、自身が掴んでいる前記一方の口閉じ紐（Ｉ）を前記他側の回転チャック（３）のスリーブ（５）の外周にほぼ１周巻きつけ、前記片側の補助チャック（１３）が、自身が掴んでいる前記他方の口閉じ紐（II）を前記他側の回転チャック（３）のスリーブ（５）の外周に巻きつけられた前記一方の口閉じ紐（Ｉ）上に交差させて重ねて前記他側の回転チャック（３）に受け渡し、しかる後、前記左右の回転チャック（２，３）が互いに離反する方向に動いて前記左右の口閉じ紐（Ｉ，II）を蝶結びの状態に二次結びする包装袋の口閉じ紐の紐結び方法。
【請求項２】
袋の口の幅方向一側部と幅方向他側部から延びだす左右の口閉じ紐（Ｉ，II）を結び合わせる口閉じ紐の紐結び方法であって、
各々がガイドロッド（４）と、そのガイドロッドの外周に軸方向スライド自在に嵌めたスリーブ（５）と、前記ガイドロッド（４）の先端に固定された把持爪（６）を有し、各々が前記ガイドロッド（４）を回転可能に支持するテーブル（７)と、そのテーブルの高さ位置を変化させる昇降機構（８）と、前記テーブル（７）を水平面内で直角２軸方向に移動させる移動機構（９，１０）と、前記ガイドロッド（４）とスリーブ（５）を、軸心を中心にして正逆方向に回転させる回転駆動機構（１１）を有する対向配置された左右の回転チャック（２，３）と、その左右の回転チャックの各々に付随させた左右の補助チャック（１３，１４）を備える紐結び機を使用し、
一方の口閉じ紐（Ｉ）の端部近傍を片側の回転チャック（２）の把持爪（６）で、他方の口閉じ紐（II）の先端近傍を他側の回転チャック（３）の把持爪（６）でそれぞれ掴み、この状態で前記片側の回転チャック（２）を回転させて前記一方の口閉じ紐（Ｉ）を当該回転チャック（２）のスリーブ（５）の外周に２回巻きつけ、次に、その一方の口閉じ紐（Ｉ）の先端を前記片側の回転チャックに付随した片側の補助チャック（１３）で掴み、次いで、前記片側の回転チャック（２）の把持爪（６）が前記一方の口閉じ紐（Ｉ）を離して前記他方の口閉じ紐（II）の先端側を掴み、前記他側の回転チャック（３）の把持爪（６）が前記片側の補助チャック（１３）に代わって前記一方の口閉じ紐（Ｉ）の先端側を掴み、その後、前記左右の回転チャック（２，３）を互いに離反する方向に動かして口閉じ紐の一次結びを完了し、
次いで、前記片側の補助チャック（１３）が前記片側の回転チャック（２）に代わって前記他方の口閉じ紐（II）を掴み、さらに、前記他側の回転チャック（３）が回転して自身が掴んでいる前記一方の口閉じ紐（Ｉ）を自己のスリーブ（５）の外周に１周巻きつけた後に前記片側の回転チャック（２）に渡し、前記片側の回転チャック（２）の把持爪（６）がその一方の口閉じ紐（Ｉ）の端部近くを掴んだら前記片側の補助チャック（１３）が、自身が掴んでいる前記他方の口閉じ紐（II）の端部近くを前記他側の回転チャック（３）に受け渡し、しかる後、前記左右の回転チャック（２，３）が互いに離反する方向に動いて前記左右の口閉じ紐（Ｉ，II）を本結びの状態に二次結びする包装袋の口閉じ紐の紐結び方法。
【請求項３】
前記口閉じ紐の一次結びにおける回転チャック（２，３）の離反方向への移動を、前記片側の回転チャック（２）をわずかに逆転させてその片側の回転チャックのスリーブ（５）の外周に対する巻きつけを緩め、さらに、前記他側の補助チャック（１４）が前記左右の口閉じ紐（Ｉ，II）の絡み部を上から押えつけた状況下で行う請求項１又は請求項２に記載の口閉じ紐の紐結び方法。
【請求項４】
袋の口の幅方向一側部と幅方向他側部から延びだす左右の口閉じ紐（Ｉ，II）を結び合わせる口閉じ紐の紐結び機であって、
各々がガイドロッド（４）と、そのガイドロッドの外周に軸方向スライド自在に嵌めたスリーブ（５）と、前記ガイドロッド（４）の先端に固定された把持爪（６）を有し、さらに、各々がテーブルと、そのテーブルの高さ位置を変化させる昇降機構（８）と、前記テーブル（７）を水平面内で直角２軸方向に移動させる移動機構（９，１０）と、前記ガイドロッド（４）とスリーブ（５）を、軸心を中心にして正逆方向に回転させる回転駆動機構（１１）を有する前記テーブル（７）上に設けられた左右の対向配置された回転チャック（２，３）と、その左右の回転チャックの各々に付随させた左右の補助チャック（１３，１４）を備え、
前記左右の回転チャック（２，３）は、前記把持爪（６）と前記スリーブ（５）の軸方向相対移動により前記把持爪（６）と前記スリーブ（５）の先端面との間に前記左右の口閉じ紐（Ｉ，II）を挟んで掴むように構成され、所定の手順に従って前記左右の口閉じ紐（Ｉ，II）の一次結びと二次結びを実施するように構成された包装袋の口閉じ紐の紐結び機。
【請求項５】
一次結びと二次結びが請求項１又は請求項２に記載の方法で実施される請求項４に記載の包装袋の口閉じ紐の紐結び機。
【請求項６】
前記左右の回転チャック（２，３）の前記スリーブ（５）の先端面に前記把持爪（６）が嵌る径方向溝（５ａ）が設けられた請求項４又は請求項５に記載の包装袋の口閉じ紐の紐結び機。
【請求項７】
上部を数回巻くように折り込んで口を閉じた包装袋の幅方向両端を除く領域を上から押える押え具（１５）と、真上に引っ張られた左右の口閉じ紐（Ｉ，II）の先端を前記左右の回転チャック（２，３）による掴みがなされるまで個別に掴む左右の上チャック（１６，１７）を具備し、前記押え具（１５）による袋の押えつけを行った状態で紐結びの動作が実行されるように構成された請求項４〜請求項６のいずれかに記載の包装袋の口閉じ紐の紐結び機。
【請求項８】
前記左右の回転チャック（２，３）がそれぞれに備える前記昇降機構（８）と、２軸方向の移動機構（９，１０）と、自己の軸心を回転中心にした回転駆動機構（１１）が、サーボモータを動力源とする位置制御の可能な機構であり、さらに、前記左右の補助チャック（１３，１４）の各々が、昇降機構（１８）と、水平面内で直角２軸方向に移動する移動機構（１９）と、傾き調整機構（２０）と押し引き機構（２１）を有し、その補助チャックの前記昇降機構（１８）、２軸方向の移動機構（１９）、傾き調整機構（２０）及び押し引き機構（２１）もサーボモータを動力源とする位置制御の可能な機構となっている請求項４〜請求項７のいずれかに記載の包装袋の口閉じ紐の紐結び機。
【発明の詳細な説明】
【技術分野】
【０００１】
この発明は、開口両側部に口閉じ紐を有する包装袋の前記口閉じ紐を、機械化された作業によって結び合わせる紐結び方法とその方法を実施するための紐結び機に関する。
【背景技術】
【０００２】
市販の包装袋のひとつに、開口両側部に口閉じ紐を有する紙製の米袋がある。その紙製の米袋は、被包装体が収納された領域よりも袋の上側部分（袋口）を上から下に向けて巻くようにして数回折り込み、この後、両側部の口閉じ紐を本結びや蝶結びの形態に結び合わせる。
【０００３】
その紐結び作業を自動化した機械が、例えば、下記特許文献１に開示されている。同文献に記載された袋体の紐結び機は、袋口の折り込みを終えたら、袋押え板で袋体の上部を上から押え、この状態で袋体の上端両側の耳部を上に向かって立上げ、さらに、開口両側部の口閉じ紐もクランプで個別に掴んで立ち上げる。
【０００４】
その後、立ち上がった口閉じ紐の端部を紐捻りクランプで掴み替え、２個の紐捻りクランプの位置を入れ替えることで掴んでいる両側の口閉じ紐を交差させる。次いで、２個の紐捻りクランプを相反する向きに回転させて交差している両側の口閉じ紐を捻り、捻った口閉じ紐の端部を両紐の絡み状態が保持される位置において紐引き出しクランプで掴み替える。
【０００５】
その後、紐引き出しクランプを相反する向きに揺動させて両側の口閉じ紐を引っ張り、一次結び目を形成する。
【０００６】
次に、紐止めクランプで両側の口閉じ紐の一次結び目よりも先端側を掴み、さらに、その紐止めクランプによる把持点よりも口閉じ紐の先端側を紐巻掛けクランプで掴み、その紐巻掛けクランプが掴んでいる紐を紐引きクランプの外側に巻掛けて輪を作り、両側の口閉じ紐を輪にくぐらせて交差させた状態で紐引きクランプにより両クランプの離反方向に引っ張ることで二次結びを行うように構成されている。
【先行技術文献】
【特許文献】
【０００７】
【特許文献１】特許第７１７１９７号公報
【発明の概要】
【発明が解決しようとする課題】
【０００８】
前掲の特許文献１に開示された紐結び機は、構成部品が極めて多く、動作も複雑なものになっている。口閉じ紐のある紙製米袋は、少量の米、例えば、３Ｋｇや５ｋｇと言った量の米を収納する小さなものも提供されている。
【０００９】
このような小さな袋の口閉じ紐を結ぶ機械は、小型で動作の単純化されたものが望まれるが、特許文献１が開示しているような構造ではその要求に応え難い。
【００１０】
このために、収納量の少ない小さな紙製米袋の口閉じ紐の紐結びは、手作業に頼っているのが現状である。その手作業は効率が悪くて作業者の負担も大きい。
【００１１】
この発明の課題は、動作を単純化して小さな袋の口閉じ紐の紐結びにも対応できるようにした紐結び方法と、その方法を実施する簡素化、小型化を図った紐結び機を提供することである。
【課題を解決するための手段】
【００１２】
上記の課題を解決するため、この発明においては、下記の紐結び方法と紐結び機を提供する。
【００１３】
この発明の紐結び方法は、蝶結びする方法や本結びする方法などである。蝶結びと本結びの方法は、包装袋の口の幅方向一側部と幅方向他側部から延びだす左右の口閉じ紐Ｉ，IIを結び合わせる口閉じ紐の紐結び方法であって、一次結びの後に二次結びを行う点が共通する。
【００１４】
両方法の一次結びの手順は全く同じである。両方法とも、各々がガイドロッドと、そのガイドロッドの外周に軸方向スライド自在に嵌めたスリーブと、前記ガイドロッドの先端に固定された把持爪を有し、各々が前記ガイドロッドを回転可能に支持するテーブルと、そのテーブルの高さ位置を変化させる昇降機構と、前記テーブルを水平面内で直角２軸方向に移動させる移動機構と、前記ガイドロッドとスリーブを、軸心を中心にして正逆方向に回転させる回転駆動機構を有する対向配置された左右の回転チャックと、その左右の回転チャックの各々に付随させた左右の補助チャックを備える紐結び機を使用する。
【００１５】
一方の口閉じ紐Ｉの端部近傍を紐結び機の片側の回転チャックの把持爪で、他方の口閉じ紐IIの先端近傍を他側の回転チャックの把持爪でそれぞれ掴み、この状態で前記片側の回転チャックを回転させて一方の口閉じ紐Ｉを当該回転チャックのスリーブの外周に２回巻きつけ、次に、その一方の口閉じ紐Ｉの先端を前記片側の回転チャックに付随した片側の補助チャックで掴む。
【００１６】
次いで、前記片側の回転チャックの把持爪が一方の口閉じ紐Ｉを離して他方の口閉じ紐IIの先端側を掴み、前記他側の回転チャックの把持爪が前記片側の補助チャックに代わって一方の口閉じ紐Ｉの先端側を掴み、その後、好ましくは、前記片側の回転チャックをわずかに逆転させてその片側の回転チャックのスリーブの外周に対する巻きつけを緩めた状況下で前記左右の回転チャックを互いに離反する方向に移動させ、好ましくは前記他側の補助チャックが前記左右の口閉じ紐Ｉ，IIの絡み部を上から押え、この状況下で前記左右の回転チャックの離反動作を続行して口閉じ紐の一次結びを完了する。
【００１７】
その後、二次結びを行う。その二次結びの手順が少し異なる。蝶結びは、一方の口閉じ紐Ｉの長手中間付近を片側の回転チャックの把持爪が、他方の口閉じ紐IIの長手中間付近を前記他側の補助チャックがそれぞれ掴む。
【００１８】
次いで、前記片側の回転チャックが、自身が掴んでいる一方の口閉じ紐Ｉを前記他側の回転チャックのスリーブの外周にほぼ１周巻きつける。また、前記片側の補助チャックが、自身が掴んでいる他方の口閉じ紐IIを前記他側の回転チャックのスリーブの外周に巻きつけられた一方の口閉じ紐Ｉ上に交差させて重ねて前記他側の回転チャックに受け渡す。しかる後、前記左右の回転チャックが互いに離反する方向に動いて左右の口閉じ紐を蝶結びの状態に二次結びする。
【００１９】
これに対し、本結びは、一次結び完了後に前記片側の補助チャックが前記片側の回転チャックに代わって他方の口閉じ紐IIを掴む。そしてさらに、前記他側の回転チャックが回転して自己が掴んでいる一方の口閉じ紐Ｉを自己のスリーブの外周に１周巻きつけた後に前記片側の回転チャックに渡す。
【００２０】
また、前記片側の回転チャックの把持爪が一方の口閉じ紐Ｉの端部近くを掴んだら前記片側の補助チャックが、自身が掴んでいる他方の口閉じ紐IIの端部近くを前記他側の回転チャックに受け渡す。しかる後、左右の回転チャックが互いに離反する方向に動いて口閉じ紐を本結びの状態に二次結びする。
【００２１】
この発明は、かかる方法を実施するための紐結び機も併せて提供する。その紐結び機は、各々がガイドロッドと、そのガイドロッドの外周に軸方向スライド自在に嵌めたスリーブと、前記ガイドロッドの先端に固定された鉤状に屈曲した把持爪を有する。
【００２２】
また、各々が前記ガイドロッドを回転可能に支持するテーブルと、そのテーブルの高さ位置を変化させる昇降機構と、前記テーブルを水平面内で直角２軸方向に移動させる移動機構と、前記ガイドロッドとスリーブを、軸心を中心にして正逆方向に回転させる回転駆動機構を有する対向配置された左右の回転チャックと、その左右の回転チャックの各々に付随させた左右の補助チャックを備える。
【００２３】
この紐結び機は、前記回転チャックが、前記把持爪と前記スリーブの軸方向相対移動により前記把持爪と前記スリーブの先端面との間に口閉じ紐を挟んで掴むように構成されており、所定の手順に従って袋の口の両端の口閉じ紐Ｉ，IIの一次結びと二次結びを実施する。
【００２４】
二次結びは、前述の蝶結びと本結びのどちらかになる可能性が高いが、その２つの方法に制限されるものではない。
【００２５】
左右の回転チャックは、前記スリーブの先端面に前記把持爪が嵌る径方向溝が設けられたものが、紐の掴みが安定して好ましい。
【００２６】
また、この発明の紐結び機は、上部を数回巻くように折り込んで口を閉じた被包装物収納済み包装袋の幅方向両端を除く領域を上から押える押え具と、真上に引っ張られた左右の口閉じ紐Ｉ，IIの先端を前記左右の回転チャックによる掴みがなされるまで個別に掴む左右の上チャックを具備し、前記押え具による袋の押えつけを行った状態で紐結びの動作が実行されるように構成されたものが好ましい。
【００２７】
また、左右の回転チャックがそれぞれに備える前記昇降機構と、水平面内での直角２軸方向への移動機構と、自己の軸心を回転中心にした回転駆動機構は、サーボモータを動力源とする位置制御の可能な機構が好ましい。
【００２８】
前記左右の補助チャックの各々も、昇降機構と、水平面内で直角２軸方向に移動する移動機構と、傾き調整機構を有するものにし、その補助チャックの前記昇降機構、移動機構及び傾き調整機構もサーボモータを動力源とする位置制御の可能な機構となすのが好ましい。
【発明の効果】
【００２９】
この発明の紐結び方法と紐結び機は、一方の口閉じ紐Ｉの端部近傍を掴んだ片側の回転チャックが回転して自己のチャックのスリーブの外周に前記一方の口閉じ紐Ｉを２回巻きつけ、その後、前記片側の回転チャックが前記一方の口閉じ紐Ｉの先端を自己のチャックに付随した補助チャックに渡して他方の口閉じ紐IIの先端側を掴む。
【００３０】
また、他側の回転チャックは片側の回転チャックに付随した補助チャックに代わって前記一方の口閉じ紐Ｉの先端側を掴み、その後、左右の回転チャックが互いに離反する方向に動いて口閉じ紐の一次結びを完了する。
【００３１】
この動作による一次結びは、片方の口閉じ紐を輪にしてその輪に他方の口閉じ紐を２回くぐらせた状況になる。このために、二次結びの過程における一次結びした箇所の緩みが起こり難い。紙製包装袋の口閉じ紐は摩擦係数が高く滑り難い紙製の紐であるため、ほとんど緩むことがない。
【００３２】
一次結びの終段の作業（左右の回転チャックの離反方向移動による両側の口閉じ紐Ｉ，IIの引っ張り）を他側の回転チャックに付随した補助チャックが両側の口閉じ紐Ｉ，IIの絡み部を上から押えた状況下で行うので（口閉じ紐が互いに擦り合って滑ると絡み部が上下に振れる）、品質の安定した一次結び目が形成される。
【００３３】
また、この後、左右の回転チャックが両側の口閉じ紐Ｉ，IIを交差するように持ち替えて二次結びを行うので、基本的には、左右の回転チャックと２つの補助チャックを備える簡素な機械で所望の紐結びを行うことができる。
【００３４】
その紐結び機の左右の回転チャックは、昇降と水平面内での直角２軸方向移動と自己の軸心を回転中心にした正逆回転の機能を有していればよい。
【００３５】
両回転チャックが進退する軸方向の移動ストロークは口閉じ紐を引っ張る必要上若干長くなるが、軸直角方向への水平移動量は小さくてよい。
【００３６】
また、両回転チャックのスリーブは直径が数ｃｍの小さなものでよく、そのスリーブの先端に設ける把持爪もスリーブの中心に軸方向相対スライド可能に通したガイドロッドの先端に把持爪を径方向外向きに突出させて取付けた単純形状の小さなものでよい。
【００３７】
２つの補助チャックも大きなストロークや複雑な動きは必要とせず、これにより、紐結び機の簡素化や小型化も図れ、小さな袋の口閉じ紐の紐結びも制限を受けずに実行可能となる。
【図面の簡単な説明】
【００３８】
【図１】この発明の紐結び機の一例の全体構成を示す正面図である。
【図２】図１の紐結び機を図１のII−II線の位置から見た平面図である。
【図３】図２の一部の拡大平面図である。
【図４】図１の紐結び機に設けた回転チャックの正面図である。
【図５】同上の回転チャックの主な構成要素を示す斜視図である。
【図６】図１の紐結び機に設けた右側補助チャックの側面図である。
【図７】図１の紐結び機に設けた左側補助チャックの側面図である。
【図８】紐結び動作の初期状態（回転チャックが包装袋の口閉じ紐を掴む直前の状態）を示す斜視図である。
【図９】右側回転チャックが掴んだ口閉じ紐をスリーブの外周に２回巻きつけた状態を示す斜視図である。
【図１０】右側回転チャックがスリーブ外周に巻き付けた口閉じ紐を右側補助チャックに受け渡した状態を示す斜視図である。
【図１１】左側回転チャックが右側補助チャックから、右側回転チャックが左側回転チャックからそれぞれ口閉じ紐を受け取った状態を示す斜視図である。
【図１２】左右の回転チャックが持ち替えた口閉じ紐を掴んで後退して一次結びを完了した状態を示す斜視図である。
【図１３】左側回転チャックが掴んでいる口閉じ紐の長手中間付近を右側回転チャックが掴み替える直前の状態を示す斜視図である。
【図１４】左側回転チャックが掴んでいる口閉じ紐の長手中間付近を右側回転チャックが掴み替えた状態を示す斜視図である。
【図１５】右側回転チャックが左側回転チャックの周囲に沿って移動して自身が掴んでいる口閉じ紐を左側回転チャックのスリーブ外周に半周程度巻きつけた状態を示す斜視図である。
【図１６】右側補助チャックが、自身が掴んでいる口閉じ紐を左側回転チャックのスリーブ外周に巻きつけられた口閉じ紐上に交差させて重ねて左側回転チャックの把持爪に受け渡した状態を示す斜視図である。
【図１７】左右の回転チャックが互いに離反する方向に動いて口閉じ紐を蝶結びの状態に二次結びした状態を示す斜視図である。
【図１８】一次結び完了後に右側補助チャックが右側回転チャックに代わって口閉じ紐を掴み、さらに、左側回転チャックが軸心を支点にして回転して自身が掴んでいる口閉じ紐を自己のスリーブ外周に１周弱巻きつけた状態を示す斜視図である。
【図１９】左側回転チャックが、自身が掴んでいる口閉じ紐を右側回転チャックに渡し、右側補助チャックが、自身が掴んでいる口閉じ紐の端部近くを左側回転チャックに受け渡した状態を示す斜視図である。
【図２０】左右の回転チャックが互いに離反する方向に動いて口閉じ紐を本結びの状態に二次結びした状態を示す斜視図である。
【発明を実施するための形態】
【００３９】
以下、この発明の包装袋の口閉じ紐に関する紐結び方法と紐結び機の実施の形態を、添付図面の図１〜図２０に基づいて説明する。
【００４０】
例示の紐結び機１は、前処理を終えて送り込まれてくる紙製の米袋（包装袋）Ａ、即ち、米を収納し、収納領域よりも袋の上側部分を上から下に向けて巻くようにして数回折り込み、さらに、袋の上端両側の耳部を上に向かって立上げ、なおかつ、米袋の開口両側部の口閉じ紐の先端側を掴んで上向きに立ち上げるまでの作業を別工程で事前に実施して送り込まれてくる米袋Ａを受け取り、その米袋Ａを定位置に保持して口閉じ紐を結ぶものである。
【００４１】
紙製米袋の口閉じ紐は、紙を撚り合わせた細い紐を数本並列に並べて接着一体化したものが用いられている。
【００４２】
この紐結び機１は、図１及び図２に示すように、対向配置された左右の回転チャック２，３と、その左右の回転チャックの各々に付随させた左右の補助チャック１３，１４（図２参照）を有する。
【００４３】
また、上側を折り込んで口を閉じた被包装物収納済み包装袋Ａの幅方向両端を除く領域を上から押えつける押え具１５と、真上に引っ張られた左右の口閉じ紐Ｉ，II（図１参照）の先端を左右の回転チャック２，３による掴みがなされるまで個別に掴む左右の上チャック１６，１７（図１にのみ表示）を有する。
【００４４】
なお、ここで言う左右は、補助チャック１３，１４をそれらのチャックの前側から（図２の矢視Ｂ方向）見た状態を前提にしたものである。
【００４５】
回転チャック２は、図３，図４に示すように、各々がガイドロッド４（このガイドロッドの長さ方向を軸方向と考える）と、そのガイドロッドの外周に嵌めたスリーブ５と、ガイドロッド４の先端に固定された把持爪６を有する。
【００４６】
また、各々がガイドロッド４を回転可能に支持するテーブル７（図１、図３、図４参照）と、そのテーブル７の高さ位置を変化させる昇降機構８（図１、図４参照）と、テーブル７を水平面内で直角２軸方向（軸方向と軸直角方向）に移動させる２つの移動機構９，１０（図３、図４参照）と、ガイドロッド４を、軸心を中心にして回転させる回転駆動機構１１（図２〜図４参照）を有する。テーブル７によるガイドロッド４の支持は軸受を用いてなされている。回転チャック３も、向きは異なるが、回転チャック２とほぼ同一構造である。
【００４７】
テーブル７と移動機構９，１０は、所謂ＸＹテーブルを構成するものであって、移動機構１０には、図４に示すように、テーブル７を水平一軸方向（紙面に垂直な軸方向）に移動可能に支持する可動テーブル１０ａと、その可動テーブル１０ａを軸直角方向（図４の矢視方向）スライド可能に支えるベースプレート１０ｂが含まれている。昇降機構８（図１参照）は、ベースプレート１０ｂを昇降させてテーブル７の高さ位置を変化させる。
【００４８】
スリーブ５は、ガイドロッド４の外周に軸方向相対スライド可能に嵌められており、そのスリーブ５を保持したガイドロッド４の先端に把持爪６が径方向外向きに突出して設けられている（図５参照）。
【００４９】
ガイドロッド４は、テーブル７上に設置されており、回転駆動機構１１によって回転駆動される。そのガイドロッド４と一体になってスリーブ５も回転する。
【００５０】
そのスリーブ５は、シリンダアクチュエータ１２によって軸方向に押し引きされる。そのスリーブ５を前方に向けて押し動かすことで把持爪６との間に口閉じ紐を挟みつけるようになっている。回転チャック３のシリンダアクチュエータ１２は、口閉じ紐の入り込みを規制するカバー３ａに覆われている。
【００５１】
スリーブ５の先端面には、図５に示すように、把持爪６の片端が嵌る径方向溝（径方向に延びて内径部から外径部に至る溝）５ａが設けられており、口閉じ紐は強い力で引っ張る必要があるときにはその径方向溝５ａと把持爪６の片端との間に口閉じ紐が挟み込まれ、強い力で引っ張る必要がないときには、把持爪６の他方の端とスリーブ５の先端面との間に挟み込まれる。
【００５２】
なお、図示の回転チャック２，３の各構成要素、即ち、昇降機構８と、移動機構９，１０は、いずれもサーボモータを動力源とする電動シリンダ８ａ，９ａ、１０ｃによって駆動され、スリーブ５と把持爪６による口閉じ紐の挟持点の位置の緻密な制御が行えるようになっている。
【００５３】
回転駆動機構１１もサーボモータ１１ａを動力源としたものであって、そのサーボモータの回転をベルト１１ｂとプーリ１１ｃ、１１ｄ経由でガイドロッド４に伝えるようにしている。そのために、ガイドロッド４の回転姿勢も緻密な制御が行える。
【００５４】
左右の補助チャック１３，１４は、一対の把持爪１３ａ、１４ａを開閉して口閉じ紐を掴むものであって、この補助チャック１３，１４も、図６、図７に示した昇降機構１８と、各々のチャックを水平面内で直角２軸方向に移動させる移動機構１９を有している。また、補助チャック１３，１４は、把持爪１３ａ、１４ａを図１の矢印方向に回転させる傾き調整機構２０と各々のチャックを進退させる押し引き機構２１も有している。
【００５５】
その補助チャックの昇降機構１８、移動機構１９及び傾き調整機構２０、押し引き機構２１も、サーボモータを動力源とする位置及び回転姿勢の緻密な制御が可能な機構となっている。昇降機構１８と押し引き機構２１の駆動源１８ａ、２１ａは、電動シリンダ（移動機構１９の駆動源も図示していない電動シリンダ）、傾き調整機構２０の駆動源２０ａはロータリーアクチュエータである。
【００５６】
傾き調整機構２０は、補助チャック１３，１４を正面から見た状態で各補助チャックの右側部と左側部の高さ位置が変化する方向に傾斜させる。
【００５７】
この傾き調整機構２０は、補助チャック１３，１４を傾けることによって補助チャックの把持爪１３ａ，１４ａによる挟み方向を口閉じ紐（米用包装袋の口閉じ紐は平べったい）の向きに合わせたり、把持爪１３ａ，１４ａで掴んだ口閉じ紐の捩れを修正したりすることができる。
【００５８】
また、補助チャック１３，１４を回転チャックとの干渉を防止して最短距離で移動させることもできるが、好ましい要素に過ぎない。
【００５９】
なお、左側の補助チャック１４は、口閉じ紐Ｉ，IIを掴む機能と、その口閉じ紐を先端側のスリットに受け入れて紐のスライドをガイドする機能を有している。また、その左側の補助チャック１４は、一次結び実施時に口閉じ紐の絡み部を上から押えつける。そのときの口閉じ紐の損傷防止のために、外周が丸みを帯びた把持爪１４ａを使用している。
【００６０】
押え具１５は、リニアガイドなどで駆動して昇降させるものであって、指定された高さ位置まで降下し、被包装物収納済み包装袋の幅方向両端を除く領域を上から押えつける。
【００６１】
上チャック１６，１７は、立ち上げた口閉じ紐Ｉ，IIの先端を一次的に掴んで定位置に仮保持するものである。口閉じ紐の長さ変動が考えられる場合には、この上チャック１６，１７に昇降機構を付属させる。また、包装袋の幅変動に対応する必要がある場合には、回転チャックの進退方向位置を変化させる機構も付属させる。
【００６２】
以上の要素によって構成された例示の紐結び機１は、付属させた制御装置（図示せず）による制御内容を変更することで蝶結びや本結びを行うことが可能になっている。
【００６３】
例示の紐結び機１は、被包装体の収納、口部の折り込み、袋の両側の耳部の立ち上げ及び左右の口閉じ紐の立ち上げを別工程で事前に実施して送り込まれてくる包装袋を受け取り、左右の口閉じ紐Ｉ，IIの先端を左右の上チャック１６，１７で掴む。また、左右の口閉じ紐Ｉ，IIの袋側の端部から少し離れた位置を左右の補助チャック１３，１４で個別に掴む。
【００６４】
そしてさらに、押え具１５で袋の幅方向両端を除く領域を上から押え、袋の幅方向両端から補助チャック１３，１４による掴み点までの間で口閉じ紐Ｉ，IIに弛みを付与し、上チャック１６，１７による掴み点と補助チャック１３，１４による掴み点との間で口閉じ紐Ｉ，IIに張力を付与し、この状態から紐結びを開始する。
【００６５】
まず、蝶結びについて説明する。紐結び動作を開始すると、アンクランプ状態になっている左右の回転チャック２，３が上昇しながら把持爪６の径方向外端が補助チャック１３，１４の側を向く姿勢になるところまで回転し、図８に示すように、立ち上げている左右の口閉じ紐Ｉ，IIを各回転チャックのスリーブ５と把持爪６との間に入り込ませる。
【００６６】
そして、スリーブ５が前進して口閉じ紐Ｉ，IIの上チャック１６，１７に掴まれている先端近く（先端よりも少し下側）を把持爪６との間に挟みこむ。これに伴い、補助チャック１３，１４及び上チャック１６，１７による紐の把持が解かれ、補助チャック１３，１４は待機点に退避する。
【００６７】
次に、回転チャック２，３が定位置まで下降する。このとき、右側の回転チャック２は回転して自己のスリーブ５の外周に自己が掴んでいる口閉じ紐Ｉを図９に示すように２回巻きつける。
【００６８】
その２回の巻きつけが完了したときに口閉じ紐Ｉの先端が補助チャック１３の開かれている把持爪１３ａの間に入り込み、その部位（先端）が図１０に示すように補助チャック１３に掴まれ、回転チャック２による口閉じ紐Ｉの把持が解かれる。
【００６９】
口閉じ紐Ｉを離した回転チャック２の把持爪６は、この後、口閉じ紐IIの先端側を掴む。また、回転チャック３の把持爪６が補助チャック１３に代わって口閉じ紐Ｉの先端側を掴む（図１１参照）。
【００７０】
その後、好ましい動作として回転チャック２がわずかに逆転して自己のスリーブ５の外周に対する巻きつけを緩め、この状態で回転チャック２，３が互いに離反する方向に動く。
【００７１】
このとき、補助チャック１４は、図１２に鎖線で示すように、口閉じ紐Ｉ，IIの絡み部を上から押え、この押えにより絡み部の上下方向の振れが抑えられた状況下で回転チャック２，３の離反が進行して口閉じ紐の一次結びが完了する。
【００７２】
次に、図１３に示すように、回転チャック３によってその回転チャック３が掴んでいる口閉じ紐Ｉを、また、補助チャック１３が回転チャック２から受け取った口閉じ紐IIをそれぞれ上に引っ張るようにしてその口閉じ紐Ｉ，IIに張力を加え（これは作業ミスの防止に関して好ましい動作）、この状況下で図１４に示すように、口閉じ紐Ｉの長手中間付近を回転チャック２の把持爪６によって掴み、回転チャックに３による把持を解く。
【００７３】
この状態で回転チャック２，３は、図１５に示すように、先端側がオーバーラップする位置に動き、回転チャック２が回転チャック３の周囲に沿って移動して自身が掴んでいる口閉じ紐Ｉを回転チャック３のスリーブ５の外周に半周以上巻きつける。
【００７４】
また、この後、図１６に示すように、補助チャック１３が、自身が掴んでいる口閉じ紐IIを回転チャック３のスリーブ５の外周に巻きつけられた口閉じ紐Ｉ上に交差させて重ねて回転チャック３の把持爪に受け渡す（回転チャック３の把持爪６で掴み替える）。
【００７５】
しかる後、回転チャック２，３が互いに離反する方向に動いて口閉じ紐Ｉ，IIを蝶結びの状態に二次結びする。二次結びを完了して回転チャック２，３が口閉じ紐Ｉ，IIの掴みを解除した状態を図１７に示す。
【００７６】
この後、回転チャック２，３は、把持爪６が口閉じ紐Ｉ，IIから外れる位置に動き、初期位置に復帰し、押え具１５による押えが解かれる。
【００７７】
次に、本結びの動作を説明する。一次結びの動作は、蝶結びを行うときと同じであるので、再説明を省く。
【００７８】
その一次結びを完了したら、図１８に示すように、補助チャック１３が回転チャック２に代わって口閉じ紐IIを掴む。また、回転チャック３は軸心を支点にして回転して自身が掴んでいる口閉じ紐Ｉを自己のスリーブ５の外周に半周以上巻きつける。
【００７９】
その後、回転チャック３は口閉じ紐Ｉを回転チャック２に渡し、回転チャック２の把持爪６が図１９に示すようにその口閉じ紐Ｉの端部近くを掴んだら、補助チャック１３が自身が掴んでいる口閉じ紐IIの端部近くを回転チャック３の把持爪に受け渡す。
【００８０】
しかる後、図２０に示すように、回転チャック２，３が互いに離反する方向に動いて口閉じ紐Ｉ，IIを本結びの状態に二次結びする。
【００８１】
二次結びが完了すると上記と同様に回転チャック２，３は、把持爪が口閉じ紐から外れる位置に動いて初期位置に復帰し、押え具１５による押えつけが開放され、紐結びを完了した包装袋が補助チャック１３，１４のある側に送りだされる。これにより、結び終えた口閉じ紐による押え具１５の戻り規制が解かれ、押え具１５が初期位置に上昇して戻される。
【００８２】
なお、口閉じ紐を結び終えた包装袋は、コンベヤなどによって紐結びの作業位置から取り出し部に搬出される。
【００８３】
上記回転チャック２，３は、例えば、３Ｋｇ詰めの米袋用紐結び機の場合、直径が３ｃｍ程度のスリーブ５を用いて構成することができる。
【００８４】
テーブル７の昇降ストロークと、回転チャック２，３が進退する軸方向の移動ストロークは、口閉じ紐の長さを考慮したものにする必要があるが、回転チャックや補助チャックはサイズが小さくて単純形状のものでよく、軸直角な方向への水平移動量も小さくてよい。
【００８５】
また、補助チャック１３，１４も大きなストロークや複雑な動きは必要とせず、これにより、紐結び機の簡素化や小型化も図れ、小さな袋の口閉じ紐の紐結びも制限を受けずに実行可能となる。
【００８６】
なお、この発明の紐結び機は、制御装置による制御動作を変化させることで、口閉じ紐の結び方を変えることができる。
【００８７】
また、以上の説明は、包装袋の口閉じ紐を結ぶケースを例に挙げて行ったが、この発明の紐結び機は、口閉じ紐以外の紐を結ぶのにも利用することができる。
【符号の説明】
【００８８】
１          紐結び機
２，３      回転チャック
３ａ        カバー
４        ガイドロッド
５          スリーブ
５ａ        径方向溝
６          把持爪
７          テーブル
８          昇降機構
９，１０    移動機構
１０ａ      可動テーブル
１０ｂ      ベースプレート
８ａ，９ａ，１０ｃ  電動シリンダ
１１        回転駆動機構
１１ａ      サーボモータ
１１ｂ      ベルト
１１ｃ，１１ｄ  プーリ
１２        シリンダアクチュエータ
１３，１４  補助チャック
１３ａ，１４ａ  把持爪
１５        押え具
１６，１７  上チャック
１８        昇降機構
１９        移動機構
２０        傾き調整機構
２１        押し引き機構
１８ａ，２０ａ，２１ａ  駆動源
Ａ          米袋
Ｉ，II      口閉じ紐
【図１】
0005948310.tif 000002
【図２】
0005948310.tif 000003
【図３】
0005948310.tif 000004
【図４】
0005948310.tif 000005
【図５】
0005948310.tif 000006
【図６】
0005948310.tif 000007
【図７】
0005948310.tif 000008
【図８】
0005948310.tif 000009
【図９】
0005948310.tif 000010
【図１０】
0005948310.tif 000011
【図１１】
0005948310.tif 000012
【図１２】
0005948310.tif 000013
【図１３】
0005948310.tif 000014
【図１４】
0005948310.tif 000015
【図１５】
0005948310.tif 000016
【図１６】
0005948310.tif 000017
【図１７】
0005948310.tif 000018
【図１８】
0005948310.tif 000019
【図１９】
0005948310.tif 000020
【図２０】
0005948310.tif 000021